【事件の表示】
　特許第２７８５８１３号「データ出力装置」の特許に対する特許異議の申立てについて、次のとおり決定する。
【結　論】
　訂正を認める。
　特許第２７８５８１３号の特許を維持する。
【理　由】
１．手続の経緯
　本件特許第２７８５８１３号の発明は、昭和６２年７月１６日に出願された特願昭６２−１７７８７４号の一部を平成８年７月１９日に新たな特許出願としたものであって、平成１０年５月２９日にその特許の設定登録がなされ、その後、渡辺等より特許異議の申立てがなされ、取消理由通知がなされ、その指定期間内である平成１１年８月２３日に訂正請求がなされ、さらに、平成１２年３月６日にその補正がなされたものである。
２．訂正の適否についての判断
（１）訂正請求に対する補正の適否
  特許権者が求める訂正明細書の補正は、次の補正からなる。
　イ）特許請求の範囲の請求項１に記載のある、「・・・前記割込信号発生手段により割込信号が発生された後、前記出力中断手段による出力の中断前であって前記出力処理中のデータの出力処理が継続中であることを示す第１の表示手段と、前記割込データ出力手段による割込データの出力中であることを示す第２の表示手段・・・」の記載を「・・・前記割込信号発生手段により割込信号が発生された後、前記出力中断手段による出力の中断前であって前記出力処理中のデータの印字が継続中であることを示す第１の表示手段と、前記出力中断手段による出力の中断後、前記割込データ出力手段による割込データの印字が継続中であることを示す第２の表示手段・・・」に補正する。
　ロ）特許請求の範囲の請求項４に記載のある、「前記割込信号発生手段により割込信号が発生された後、前記出力中断手段による出力の中断前には前記表示ランプを点滅させ、前記割込データ出力手段による割込データの出力中には前記表示ランプを点灯させる・・・」の記載を「前記割込信号発生手段により割込信号が発生された後、前記出力中断手段による出力の中断前であって前記出力処理中のデータの印字が継続中には前記表示ランプを点滅させ、前記出力中断手段による出力の中断後、前記割込データ出力手段による割込データの印字が継続中には前記表示ランプを点灯させる・・・」に補正する。
　ハ）明細書段落【０００５】に記載のある、「・・・データの割込中であることを容易に確認する・・・」を、「・・・当該データの印字中であることを容易に確認する・・・」と補正する。
　ニ）明細書段落【０００６】に記載のある、「・・・前記割込信号発生手段により割込信号が発生された後、前記出力中断手段による出力の中断前であって前記出力処理中のデータの出力処理が継続中であることを示す第１の表示手段と、前記割込データ出力手段による割込データの出力中であることを示す第２の表示手段とを備えている。」を、「・・・前記割込信号発生手段により割込信号が発生された後、前記出力中断手段による出力の中断前であって前記出力処理中のデータの印字が継続中であることを示す第１の表示手段と、前記出力中断手段による出力の中断後、前記割込データ出力手段による割込データの印字が継続中であることを示す第２の表示手段とを備えている。」と補正する。
　ホ）明細書段落【０００９】に記載のある、「・・・前記出力中断手段による出力の中断前には前記表示ランプを点滅させ、前記割込データ出力手段による割込データの出力中には前記表示ランプを点灯させるようにして、第１の表示手段の作用と第２の表示手段の作用と前記表示ランプにさせるようにしてもよい。」を、「・・・前記出力中断手段による出力の中断前であって前記出力処理中のデータの印字が継続中には前記表示ランプを点滅させ、前記出力中断手段による出力の中断後、前記割込データ出力手段による割込データの印字が継続中には前記表示ランプを点灯させるようにして、第１の表示手段の作用と第２の表示手段の作用とを前記表示ランプにさせるようにしてもよい。」と補正する。
　ヘ）明細書段落【００１１】に記載のある、「・・・第１の表示手段が出力中断手段による出力の中断前であることを表示し、出力処理中のデータの出力が出力中断手段により中断され、その出力中断手段による中断後、割込データ出力手段により別のデータが割込まれると共に、割込データの出力中であることが第２の表示手段に表示される。」を、「・・・第１の表示手段が出力中断手段による出力の中断前であって出力処理中のデータの印字が継続中であることを表示し、出力処理中のデータの出力が出力中断手段により中断され、その出力中断手段による中断後、割込データ出力手段により別のデータが割込まれると共に、割込データの印字が継続中であることが第２の表示手段に表示される。」と補正する。
　ト）明細書段落【００４１】に記載のある、「【発明の効果】・・・出力中断手段による出力中断前であること及び割込データの出力中であることを容易に確認することができる効果を有する。」を、「【発明の効果】・・・出力中断手段による出力中断前であって前記出力処理中のデータの印字が継続中であること及び割込データの印字が継続中であることを容易に確認することができる効果を有する。」と補正する。
　
　そこで、上記補正について検討する。
　全文訂正明細書には、
　「入力バッファ３１に入力されているファイルＡのデータが印字されている時に、割込スイッチ１３が操作されると、Ｓ２７の判定がYESとなり、次ぎのＳ２８にて、割込スイッチ１３を受け付けたことを示すために、割込表示ランプ１４を点滅させる。・・・ファイルＡのデータを頁末まで印字完了していない場合には、Ｓ２２へ戻りＳ２９で頁末まで印字が完了するまで上記した印字処理が継続されると共に割込ランプ１４が点滅している。」（第８頁第１４〜２２行）、
　「又、入力バッファ３１の空領域が所定量以上となった場合には、Ｓ３０の判定がＹＥＳとなりＳ３１へ移行する。Ｓ３１では割込ランプ１４が点灯され、」（第９頁第２〜３行）、
　「このようにして、サブバッファには図５（ｄ）に示すように、ファイルＢのデータが記憶される。サブバッファにデータが入力されると、図４のメインプログラムのＳ３６の判定がYESとなり、Ｓ３８へ移行してＳ２４と同様にしてサブバッファのデータの１行印字処理が実行される。そして、次のＳ３９で、図５（ｅ）に示すようにサブバッファから印字された１行印字データが削除され、Ｓ４０でサブバッファのFIFOパラメータが更新される。次に、Ｓ４１において、サブバッファはデータエンドか否かが判定され、データエンドでない場合にはＳ３６へ戻り上記したようにサブバッファに入力されたファイルＢの印字処理が継続される。」（第１０頁第２〜１０行）、
　「一方、ファイルＢの印字中又はファイルＣのデータの受信待ち中（Ｓ２３、Ｓ３６、Ｓ３７、Ｓ２１、Ｓ２２を実行中）に、割込スイッチ１３がオフされると、印字終了後のＳ４２又はデータ受信待ち中のＳ３７の判定がYESとなり、Ｓ４３へ移行する、Ｓ４３ではＳ３２で退避されたファイルＡに関する入力バッファ３１のFIFOパラメータが復元され、次のＳ４４ではＳ３３で書式データメモリ３４に退避されたファイルＡの印紙（「字」の誤記である。）中断時の書式データが復元される。そして、Ｓ４５で割込表示ランプ14が消灯され、Ｓ４６で割込フラグがオフとされＳ２３に戻る。この時、入力バッファ３１のメモリマップは図５（ｆ）に示すようになり、割込フラグ３３はＳ４６でオフとされたのでＳ２３の判定がYESとなり上述したＳ２４以下が実行される。即ち、入力バッファ３１に残されているファイルＡのデータの印字が再開されることになり、」（第１０頁２１行〜第１１２行）、と記載されている。
　上記イ）及びロ）の補正は、これらの記載に基づいて訂正明細書を補正し、ファイルと割込ランプの表示状態とその印字とが対応する関係にあるということを明瞭にするもので、明りようでない記載の釈明に該当するとともに、特許請求の範囲の減縮に該当する。
　また、上記ハ）乃至ト）の補正は、特許請求の範囲を補正する上記イ）及びロ）の補正に整合するように発明の詳細な説明の欄を補正するもので、明りようでない記載の釈明に該当する。
　
　以上、上記訂正請求の補正は、訂正請求書の要旨を変更するものではなく、特許法等の一部を改正する法律（平成６年法律第１１６号）附則第６条第１項の規定によりなお従前の例によるとされる、特許法第１２０条の４第３項で準用する同法第１３１条第２項の規定に適合するので、採用する。
　
（２）訂正請求の適否
　イ）訂正請求の内容
  上記訂正請求の補正により、特許権者が求める特許明細書の訂正は、次の訂正からなる。
　訂正事項ａ：
　特許請求の範囲の請求項１、請求項４及び請求項５の記載を、次のように訂正する。
「【請求項１】出力処理中のデータに別のデータを割込ませて出力させるデータ出力装置において、割込信号を発生させる割込信号発生手段と、
その割込信号発生手段により発生された割込信号に基づいて、出力処理中のデータの出力を中断する出力中断手段と、その出力中断手段による中断後、前記別のデータを割込ませる割込データ出力手段と、前記割込信号発生手段により割込信号が発生された後、前記出力中断手段による
出力の中断前であって前記出力処理中のデータの印字が継続中
前記出力中断手段による出力の中断後、
割込データの印字が継続中
　【請求項４】前記割込信号発生手段により割込信号が発生された後、前記出力中断手段による
出力の中断前であって前記出力処理中のデータの印字が継続中
前記出力中断手段による出力の中断後、
割込データの印字が継続中
　【請求項５】さらに、通常の印字データと割込時の印字データのいずれもが記憶される入力バッファと、当該入力バッファの空領域の量を判断する空領域判断手段とを備え、前記複数ページの印字データを印字出力中に前記割込信号発生手段により割込信号が発生された場合に、現在印字中のページの出力後に、当該空領域判断手段により前記入力バッファの空領域が所定量以上か否かを判断し、当該空領域が所定量以上のときには前記出力中断手段により現在印字出力中の前記複数ページの印字データの印字を中止して割込データの印字を行い、前記入力バッファの
空領域
　訂正事項ｂ：
　特許掲載公報第３欄第４６行（段落【０００５】）に「データの割込中」とあるのを、「当該データの印字中」と訂正する。
　訂正事項ｃ：
　特許掲載公報第４欄第８〜１１行（段落【０００６】）に「前記出力中断手段による出力の中断前であることを示す第１の表示手段と、前記割込データ出力手段による割込データの出力中であることを示す第２の表示手段とを備えている。」とあるのを、「前記出力中断手段による出力の中断前であって前記出力処理中のデータの出力処理が継続中であることを示す第１の表示手段と、前記出力中断手段による出力の中断後、前記割込データ出力手段による割込データの印字が継続中であることを示す第２の表示手段とを備えている。」と訂正する。
　訂正事項ｄ：
　特許掲載公報第４欄第２１〜２６行（段落【０００９】）に「前記出力中断手段による出力の中断前には前記表示ランプを点滅させ、前記割込データ出力手段による割込データの出力中には前記
表示ランプを点灯させるようにして、第１の表示手段の作用と第２の表示手段の作用と前記表示ランプにさせるようにしてもよい。」とあるのを、「前記出力中断手段による出力の中断前であって前記出力処理中のデータの印字が継続中には前記表示ランプを点滅させ、前記出力中断手段による出力の中断後、前記割込データ出力手段による割込データの印字が継続中には前記表示ランプを点灯させるようにして、第１の表示手段の作用と第２の表示手段の作用とを前記表示ランプにさせるようにしてもよい。」と訂正する。
　訂正事項ｅ：
　特許掲載公報第４欄第４４〜４９行（段落【００１１】）に「第１の表示手段が出力中断手段による出力の中断前であることを表示し、出力処理中のデータの出力が出力中断手段により中断され、その出力中断手段による中断後、割込データ出力手段により別のデータが割込まれると共に、割込データの出力中であることが第２の表示手段に表示される。」とあるのを、「第１の表示手段が出力中断手段による出力の中断前であって出力処理中のデータの印字が継続中であることを表示し、出力処理中のデータの出力が出力中断手段により中断され、その出力中断手段による中断後、割込データ出力手段により別のデータが割込まれると共に、割込データの印字が継続中であることが第２の表示手段に表示される。」と訂正する。
　訂正事項ｆ：
　特許掲載公報第７欄第４５〜４６行（段落【００２８】）に「Ｓ２２へ戻り入力バッファ３１の空領域が所定量以上となる頁末まで印字が継続され、」とあるのを、「Ｓ２２へ戻り、次のページ末まで印字を行い、再度Ｓ３０により入力バッファ３１の空領域が割込印字可能なだけの所定容量以上か否かが判定される。このように、」と訂正する。
　訂正事項ｇ：
　特許掲載公報第１０欄第２８行（段落【００４１】に「であること及び割込データの出力中」とあるのを、「であって前記出力処理中のデータの印字が継続中であること及び割込データの印字が継続中」と訂正する。
　
（３）訂正の目的の適否、新規事項の有無及び拡張・変更の存否
　上記訂正事項ａにおいて、請求項１におけるアンダーラインを付した「出力の中断前であって前記出力処理中のデータの印字が継続中」とある個所は、本件特許掲載公報第４頁７欄第３７行〜第８欄第１行の「ファイルＡのデータを頁末まで印字完了していない場合には、Ｓ２２へ戻りＳ２９で頁末まで印字が完了するまで上記した印字処理が継続されると共に割込ランプ１４が点滅している。Ｓ２９で頁末まで印字されたと判定され、次のＳ３０で入力バッファ３１の空領域が割込印字が可能なだけの所定容量以上か否かが判定され、所定量以上存在しない場合にはＳ２２へ戻り入力バッフ３１の空領域が所定容量以上となる頁末まで印字が継続され、割込ランプ１４が点滅している。又、入力バッファ３１の空領域が所定容量以上となった場合には、Ｓ３０の判定がYESとなりＳ３１へ移行する。Ｓ３１では割込表示ランプ１４が点灯され、」という記載に基づいて行った限定であり、特許請求の範囲の減縮に該当する。
　同じく請求項１におけるアンダーラインを付した「前記出力中断手段による出力の中断後、」とある個所は、本件特許掲載公報第４頁７欄第２９〜３４行の「このようにして、入力バッファ３１に入力されているファイルＡのデータが印字されている時に、割込スイッチ１３が操作されると、Ｓ２７の判定がYESとなり、次のＳ２８にて、割込スイッチ１３を受け付けたことを示すために、割込表示ランプ１４を点滅させる。」、本件特許掲載公報第４頁７欄第４２行〜第８欄第１行の「Ｓ２９で頁末まで印字されたと判定され、次のＳ３０で入力バッファ３１の空領域が割込印字が可能なだけの所定容量以上か否か判定され、所定量以上存在しない場合には次ぎの頁末まで印字を行い、入力バッファ３１の空領域が所定容量以上となる頁末まで印字が継続され、割込ランプ１４が点滅している。又、入力バッファ３１の空領域が所定容量以上となった場合には、Ｓ３０の判定がYESとなりＳ３１へ移行する。Ｓ３１では割込表示ランプが点灯され、」という記載に基づいて、第１の表示手段と第２の表示手段の関係を明瞭にしたもので、明りようでない記載の釈明に該当するとともに、特許請求の範囲の減縮に該当する。
　さらに、請求項１におけるアンダーラインを付した「割込データの印字が継続中」とある個所は、本件特許掲載公報第４頁７欄第４８行〜第８欄第１行の「又、入力バッファ３１の空領域が所定容量以上となった場合には、Ｓ３０の判定がYESとなりＳ３１へ移行する。Ｓ３１では割込表示ランプ１４が点灯され、」、第４頁第８欄第３７〜４９行の「このようにして、サブバッフアには図５（ｄ）に示すように、ファイルＢのデータが記憶される。サブバッファにデータが入力されると、図４のメインプログラムのＳ３６の判定がYESとなり、Ｓ３８へ移行してＳ２４と同様にしてサブバッファのデータの１行印字処理が実行される。そして、次のＳ３９で、図５（ｅ）に示すように、サブバッファから印字された１行印字データが削除され、Ｓ４０でサブバッファのFIFOパラメータが更新される。次に、Ｓ４１において、サブバッファはデータエンドか否かが判定され、データエンドでない場合にはＳ３６へ戻り上記したようにサブバッファに入力されたファイルＢの印字処理が継続される。」、本件特許掲載公報第５頁第９欄第１１〜２６行の「一方、ファイルＢの印字中又はファイルＣのデータの受信待ち中（Ｓ２３、Ｓ３６、Ｓ３７、Ｓ２１、Ｓ２２を実行中）に、割込スイッチ１３がオフされると、印字終了後のＳ２４又はデータ受信待ち中のＳ３７の判定がYESとなり、Ｓ４３へ移行する、Ｓ４３ではＳ３２で退避されたファイルＡに関する入力バッファ３１のFIFOパラメータが復元され、次のＳ４４ではＳ３３で書式データメモリ３４に退避されたファイルＡの印紙中断時の書式データが復元される。そして、Ｓ４５で割込表示ランプ１４が消灯され、Ｓ４６で割込フラグがオフとされＳ２３に戻る。この時、入力バッファ３１のメモリマップは図５（ｆ）に示すようになり、割込フラグ３３はＳ４６でオフとされたのでＳ２３の判定がYESとなり、上述したＳ２４以下が実行される。即ち、入力バッファ３１に残されているファイルＡのデータの印字が再開されることになり、」の記載に基づいて行った限定であり、特許請求の範囲の減縮に該当する。
　また、請求項４における「出力の中断前であって前記出力処理中のデータの印字が継続中」、「前記出力中断手段による出力の中断後、」及び「割込データの印字が継続中」とある個所は、請求項１に関して訂正した内容と同じであり、その根拠も同じであり、特許請求の範囲の明りようでない記載を釈明しかつ減縮するものに該当する。
　さらに、請求項５における「前記入力バッファの空領域が所定量より少ないときには、」とある個所は、訂正前に「空値域」とあったのは「空領域」の誤りであり、誤記の訂正に該当する。
　上記訂正事項ｂ乃至訂正事項ｇは、上記訂正事項ａにおける特許請求の範囲の訂正に対応して掲載公報の記載を整合させる訂正であり、明りようでない記載の釈明に該当するものである。
　そして、上記ａ〜ｇの訂正事項は、願書に添付した明細書又は図面に記載した事項の範囲内のものであり、また、特許請求の範囲を拡張しまたは変更するものではない。
　
（４）独立特許要件の判断
  当審が通知した取消理由に引用した特開昭６１−８０４６１号公報（以下、「引用例１」という。）には、発明の名称を画像情報処理システムとする発明について次のとおりのことが記載されている。
（イ）「画像情報を入力する入力手段と、画像情報を出力する出力手段と、前記入力手段からの入力情報及び前記出力手段への出力情報を一時的に記憶する記憶手段と、他の装置との間で画像情報の通信を行なう伝送制御手段とを備え、前記入力手段よりの入力情報を前記出力手段より出力させるオフライン処理と、・・・前記伝送制御手段により他の装置よりの画像情報を受信し、前記記憶手段に記憶すると共に該記憶手段に記憶された画像情報を前記出力手段に出力するオンライン処理とを切換えて実行可能な画像情報処理システムであって、前記切換えて実行中の処理の終了するまで他の処置に移行できない第１の動作モードと、切換要求入力により前記実行中の処理における前記出力手段への出力の途中で外の処理へ移行可能な第２の動作モードとを備えることを特徴とする画像情報処理システム。」（第１頁左下欄第５行〜同頁右下欄第７行目）
（ロ）「電源が投入された初期状態では・・・自動的にオンラインモードとなっており、キーボード部８の・・・照光式のオンラインキーが点灯する。」（第３頁左下欄第５行〜８行目）
（ハ）「オンライン／オフラインの切換は同一のキー（オンラインキー）を入力することにより、交互にオンライン／オフラインモードとなる。」（第４頁右上欄第２行〜４行目）
（ニ）「オンラインキーの入力であれば・・・現在のオンライン又はオフラインモードよりの変更の要求があることを示す“ＫＥＹ”フラグをセットし、・・・オンラインキーを点滅させてリターンする。」（第４頁左上欄第５行〜９行目）
（ホ）「モード指定がＡ、即ち、オフライン処理が終了するまではオンラインで伝送されてきた画像情報の出力を行わないモード」（第５頁左上欄第９行〜１１行目）
（ヘ）「モードＡでない場合はモードＢ、即ち、オフライン処理（原稿複写）中であっても１頁の切れ目にオフライン処理より自動的にオンライン処理に移行するモード」（第５頁左上欄第１３行〜１６行目）
（ト）「“ＫＥＹ”フラグがセットされている場合にはオンラインモードよりオフラインモードへの切換変更要求であるため、・・・オフラインモードに設定変更し、オンラインキーを消灯し、“ＫＥＹ”フラグをリセットする。」（第４頁左上欄第１３行〜同頁右上欄第１行目）
（チ）「“ＫＥＹ”フラグがセットされていた場合、即ち、オフラインモードよりオンラインモードへの切換要求入力のあった場合には・・・“ＫＥＹ”フラグをリセットし・・・オフラインモードよりオンラインモードに変更し、オンラインキーを点灯」（第６頁左上欄第１５行〜同頁右上欄第６行目）
（リ）「Ｂモードに設定すると、オンライン処理又はオフライン処理により画像情報出力装置６より画像情報印刷出力時にその頁の切れ目の時に要求によりオンラインモードよりオフラインモードに変更又はオフラインモードよりオンラインモードへ変更され、変更された処理を実行することができる。」（第７頁右上欄第１０行〜１６行目）
（ヌ）引用例１の第２図には、実施例の動作フローチャートが記載されている。
　してみれば、これらの記載事項及び第２図の動作フローチャートから、引用例１記載の画像情報処理システムの動作フローは、「Ｂモード（処理途中で他の処理に移行可能なモード）が指定された状態で、オンライン処理中に、該オンライン処理を中断してオフライン処理を実行する」場合を想定すると、以下のとおりになる。
Ａ．初期状態（Ｓ１）では、自動的にオンラインモードとなり、オンラインキーが点灯する。
Ｂ．オンラインモードでは、オンライン入出力要求があり（Ｓ２(YES)）、画像情報出力装置６への出力要求であると（Ｓ２０(NO)）、他の情報処理装置より送られてくる原稿サイズ情報、枚数情報、画像情報をメモり２及び画像メモリ４に格納し、順次印刷出力する（Ｓ２１〜Ｓ２５(NO)、Ｓ３３〜Ｓ３８(NO)）。
Ｃ．オンライン処理中にオフラインモードへの切換要求としてオンラインキー入力（Ｓ１０５(YES)）があると、“ＫＥＹ”フラグがセットされ（Ｓ１０６）、オンラインキーが点滅する（Ｓ１０７）。
Ｄ．オフラインモードへの切換要求があると、オンライン処理を中断する（Ｓ３８(YES)〜Ｓ４０）。
Ｅ．オフラインモードに設定変更し、オンラインキーを消灯し、“ＫＥＹ”フラグをリセットする（Ｓ５）（なお、第４頁左上欄第１５行〜同頁右下欄第１行目の記載より、第２図（Ａ）のＳ５における「オンラインモードに設定し」の記載は「オフラインモードに設定し」の誤記であることは明らかである。）。
Ｆ．オフラインモードによる処理を実行する（Ｓ６(NO)、Ｓ７(YES)）。
　
　（対比・判断）
　補正後の訂正明細書の特許請求の範囲の請求項１に記載された発明（以下、「本件訂正発明」という。）（なお、特許請求の範囲の請求項２〜５は、特許請求の範囲の請求項１に記載された発明の実施態様項である。）と引用例１記載の発明を対比する。
　上記引用例１の記載及び図面より、引用例１には以下の発明が記載されている。
「オンラインモードにおいて他の装置より受信した画像情報を出力手段に出力処理中に、該出力処理を中断してオフラインモードで入力手段よりの入力情報を出力手段に出力処理させる画像情報処理システムであって、
オンラインモードよりオフラインモードへのモード切換要求があることを示す“ＫＥＹ”フラグをセットするためのオンラインキーを備え、
前記“ＫＥＹ”フラグがセットされている場合にはオンラインモードによる画像データの出力処理を中断し、
オフラインモードによる出力処理を実行させ、
オンラインキー入力による“ＫＥＹ”フラグのセット時から、現在処理中のオンラインモードでの画像データ出力を頁の切れ目まで実行してから中断させ、オフラインモードに設定変更し、“ＫＥＹ”フラグをリセットするまで、オンラインキーを点滅させ、
オフラインモードに設定変更し、“ＫＥＹ”フラグをリセットし、オフラインモードでの出力処理時にはオンラインキーを消灯させるようにした画像情報処理システム。」
　ここで、引用例１に記載された発明の画像情報、入力情報、“ＫＥＹ”フラグ、オンラインキー、オンラインキー点滅、オンラインキー消灯及び画像情報処理システムが、本件訂正発明の出力処理中のデータ、別のデータ、割込信号、割込信号発生手段、第１の表示手段、第２の表示手段及びデータ出力装置にそれぞれ相当する。また、本件訂正発明の出力中断手段及び割込データ出力手段に相当する構成は、引用例１には、特に名称を付して記載されてはいないものの、同様の動作をすることは記載されており、引用例１記載の発明も上記構成を有しているといえる。
　
　したがって、本件訂正発明と引用例１記載の発明とは、
　「出力処理中のデータに別のデータを割込ませて出力させるデータ出力処理装置において、割込信号を発生させる割込信号発生手段と、
その割込信号発生手段により発生された割込信号に基づいて、出力処理中のデータ出力を中断する出力中断手段と、
その出力中断手段による中断後、前記別のデータを割込ませる割込データ出力手段と、
前記割込信号発生手段により割込信号が発生された後、前記出力中断手段による出力の中断前であることを示す第１の表示手段と、
前記割込データ出力手段による割込データ出力可能状態であることを示す第２の表示手段とを備えたデータ出力装置。」である点で一致し、以下の点で相違している。
　相違点１：本件訂正発明においては、第１の表示手段が、割込信号発生手段により割込信号が発生された後、出力中断手段による出力の中断前であって前記出力処理中のデータの印字が継続中であること示す機能であるのに対して、引用例１記載の発明においては、前記第１の表示手段に相当するオンラインキー点滅状態は、オンライン処理中に、オンラインキー入力により“ＫＥＹ”フラグがセットされた時から“ＫＥＹ”フラグをリセットしてオフラインモードに設定するまで継続されるものであり、その点滅状態が出力の中断前であることを示すことは明らかであるが、オンライン出力処理中のデータの印字が継続中であることを示すものであるとは引用例１には明記されていない点。
　相違点２：本件訂正発明においては、第２表示手段は、割込データ出力手段による割込データの印字が継続中であることを示す機能であるのに対して、引用例１記載の発明においては、前記第２表示手段に相当するオンラインキー消灯状態は、“ＫＥＹ”フラグをリセットしてオフラインモードに設定したことを示すものであり、新たにオンラインキーの入力によりモード設定変更要求がなされない限り、消灯状態を継続するものであるので、該オンラインキー消灯状態はオフラインモードで出力可能な状態であることを示していることは明らかであるが、「割込データの出力が継続中」であることのみを示すものではない点。
　
　上記相違点１、２について検討する。
　引用例１においては、「印刷出力」（Ｓ３５）の状態と、Ｓ５におけるオンラインキー消灯（点滅終了）時点との関係が明瞭ではない。したがって、例えば、画像メモリ４から出力装置６側にデータが送られ、ＭＰＵ１上では「印刷出力」（Ｓ３５）が終了してＳ３８の処理が可能になったにも拘わらず、依然として出力装置６側では印刷処理が行われているような場合であっても、Ｓ３８のYES、Ｓ３９のNOの各処理を経て、Ｓ５の処理によりオンラインキーの点滅状態が消灯に転じることとなる。
　即ち、単にオンラインキーが操作されてから実際にオフラインモードが設定されるまでの間に点滅しているに過ぎず、点滅から消灯に変化した時点で割込まれる方のデータの印字が完全に中断されたかどうかを明確に示すことはできない。
　また、引用例１においては、オフラインモードで出力可能な状態である際に、画像情報入力装置７を使用して原稿の複写処理が可能であるだけであり、複写処理による出力が継続中であることを明確に示すことはできるものではない。
　したがって、引用例１は、本件訂正発明が有する前記相違点１、２の構成を備えていない。
　本件訂正発明は、相違点１及び相違点２の構成により、訂正明細書（補正後）に記載の効果、就中、「出力中断手段による出力中断前であって前記出力処理中のデータの印字が継続中であること及び割込みデータの印字が継続中であることを容易に確認することができる」（訂正明細書（補正後）第１２頁第２０〜２１行）という効果、さらには、「割込んでオフライン印字をした者が、誤ってオンライン印字の最後の頁を紛れ込ませて持っていってしまうというような不都合もなくなる」（平成１２年３月６日付け意見書　第６頁第１５〜１６行）という効果を奏するものである。
　
　したがって、本件訂正発明は、上記刊行物１に記載のものから容易に発明をすることができたものとはいえない。
　よって、本件特許請求の範囲の請求項１に記載された発明は特許出願の際独立して特許を受けることができるものである。
　
（５）むすび
　以上、上記訂正は、特許法等の一部を改正する法律（平成６年法律第１１６号）附則第６条第１項の規定によりなお従前の例によるとされる、特許法第１２０条の４第２項、同条第３項において準用する平成６年改正前同法第１２６条第１−３項の規定に適合するので、当該訂正を認める。
　
３．特許異議の申立てについての判断
（１）申立ての理由の概要
　特許異議申立人　渡辺等は、上記刊行物１である甲第１号証（特開昭６１−８０４６１号公報）を提出し、訂正請求前の特許請求の範囲の請求項１に記載された発明は、甲第１号証に記載された発明であるか、或いは甲第１号証に記載された発明に基づいて当業者が容易に発明をすることができたものであるから、特許法第２９条第１項第３号の規定によるか、或いは同法第２９条第２項の規定により、特許を受けることができないものであり、特許を取り消すべき旨主張している。
　
（２）判断
　上記訂正後の本件請求項１に記載された発明は、上記２．（４）で示したように、甲第１号証に記載された発明と同一であるとすることも、甲第１号証に記載された発明に基づいて当業者が容易に発明をすることができたものとすることもできない。
　また、他に本件請求項１に記載された発明の特許を取り消すべき理由を発見しない。
　よって、結論のとおり決定する。
【異議決定日】
平成１２年４月１８日（２０００．４．１８）
【訂正の要旨】
　訂正の要旨
　訂正事項ａ：
　特許請求の範囲の請求項１、請求項４及び請求項５の記載を、次のように訂正する。
「【請求項１】出力処理中のデータに別のデータを割込ませて出力させるデータ出力装置において、割込信号を発生させる割込信号発生手段と、
その割込信号発生手段により発生された割込信号に基づいて、出力処理中のデータの出力を中断する出力中断手段と、その出力中断手段による中断後、前記別のデータを割込ませる割込データ出力手段と、前記割込信号発生手段により割込信号が発生された後、前記出力中断手段による
出力の中断前であって前記出力処理中のデータの印字が継続中
前記出力中断手段による出力の中断後、
割込データの印字が継続中
　【請求項４】前記割込信号発生手段により割込信号が発生された後、前記出力中断手段による
出力の中断前であって前記出力処理中のデータの印字が継続中
前記出力中断手段による出力の中断後、
割込データの印字が継続中
　【請求項５】さらに、通常の印字データと割込時の印字データのいずれもが記憶される入力バッファと、当該入力バッファの空領域の量を判断する空領域判断手段とを備え、前記複数ページの印字データを印字出力中に前記割込信号発生手段により割込信号が発生された場合に、現在印字中のページの出力後に、当該空領域判断手段により前記入力バッファの
空領域
　訂正事項ｂ：
　特許掲載公報第３欄第４６行（段落【０００５】）に「データの割込中」とあるのを、「当該データの印字中」と訂正する。
　訂正事項ｃ：
　特許掲載公報第４欄第８〜１１行（段落【０００６】）に「前記出力中断手段による出力の中断前であることを示す第１の表示手段と、前記割込データ出力手段による割込データの出力中であることを示す第２の表示手段とを備えている。」とあるのを、「前記出力中断手段による出力の中断前であって前記出力処理中のデータの出力処理が継続中であることを示す第１の表示手段と、前記出力中断手段による出力の中断後、前記割込データ出力手段による割込データの印字が継続中であることを示す第２の表示手段とを備えている。」と訂正する。
　訂正事項ｄ：
　特許掲載公報第４欄第２１〜２６行（段落【０００９】）に「前記出力中断手段による出力の中断前には前記表示ランプを点滅させ、前記割込データ出力手段による割込データの出力中には前記表示ランプを点灯させるようにして、第１の表示手段の作用と第２の表示手段の作用と前記表示ランプにさせるようにしてもよい。」とあるのを、「前記出力中断手段による出力の中断前であって前記出力処理中のデータの印字が継続中には前記表示ランプを点滅させ、前記出力中断手段による出力の中断後、前記割込データ出力手段による割込データの印字が継続中には前記表示ランプを点灯させるようにして、第１の表示手段の作用と第２の表示手段の作用とを前記表示ランプにさせるようにしてもよい。」と訂正する。
　訂正事項ｅ：
　特許掲載公報第４欄第４４〜４９行（段落【００１１】）に「第１の表示手段が出力中断手段による出力の中断前であることを表示し、出力処理中のデータの出力が出力中断手段により中断され、その出力中断手段による中断後、割込データ出力手段により別のデータが割込まれると共に、割込データの出力中であることが第２の表示手段に表示される。」とあるのを、「第１の表示手段が出力中断手段による出力の中断前であって出力処理中のデータの印字が継続中であることを表示し、出力処理中のデータの出力が出力中断手段により中断され、その出力中断手段による中断後、割込データ出力手段により別のデータが割込まれると共に、割込データの印字が継続中であることが第２の表示手段に表示される。」と訂正する。
　訂正事項ｆ：
　特許掲載公報第７欄第４５〜４６行（段落【００２８】）に「Ｓ２２へ戻り入力バッファ３１の空領域が所定量以上となる頁末まで印字が継続され、」とあるのを、「Ｓ２２へ戻り、次のページ末まで印字を行い、再度Ｓ３０により入力バッファ３１の空領域が割込印字可能なだけの所定容量以上か否かが判定される。このように、」と訂正する。
　訂正事項ｇ：
　特許掲載公報第１０欄第２８行（段落【００４１】に「であること及び割込データの出力中」とあるのを、「であって前記出力処理中のデータの印字が継続中であること及び割込データの印字が継続中」と訂正する。
（５４）【発明の名称】
データ出力装置
（５７）【特許請求の範囲】
　【請求項１】　出力処理中のデータに別のデータを割込ませて出力させるデータ出力装置において、
割込信号を発生させる割込信号発生手段と、
その割込信号発生手段により発生された割込信号に基づいて、出力処理中のデータの出力を中断する出力中断手段と、
その出力中断手段による中断後、前記別のデータを割込ませる割込データ出力手段と、
前記割込信号発生手段により割込信号が発生された後、前記出力中断手段による出力の
中断前であって前期出力処理中のデータの印字が継続中
前記出力中断手段による出力の中断後、
印字が継続
　【請求項２】　前記第１の表示手段と前記第２の表示手段とを共通の表示ランプにしたことを特徴とする請求項１に記載のデータ出力装置。
　【請求項３】　前記出力されるデータは印字データであって、複数ページの印字出力中に前記割込信号発生手段により割込信号が発生された場合、前記出力中断手段は現在印字中のページの出力後にその出力を中断することを特徴とする請求項１又は２に記載のデータ出力装置。
　【請求項４】　前記割込信号発生手段により割込信号が発生された後、前記出力中断手段による出力の中断前
であって前記出力処理中のデータの印字が継続中
前記出力中断手段による出力の中断後、
印字が継続
　【請求項５】　さらに、通常の印字データと割込時の印字データのいずれもが記億される入力バッファと、
当該入力バッファの空領域の量を判断する空領域判断手段とを備え、
前記複数ページの印字データを印字出力中に前記割込信号発生手段により割込信号が発生された場合に、現在印字中のページの出力後に、当該空領域判断手段により前記入力バッファの空領域が所定量以上か否かを判断し、
当該空領域が所定量以上のときには前記出力中断手段により現在印字出力中の前記複数ページの印字データの印字を中止して割込データの印字を行い、
前記入力バッファの
空領域
【発明の詳細な説明】
　　　【０００１】
　　【発明の属する技術分野】
　本発明は、１つのファイルデータを出力しているときに、割込んで他のファイルデータを出力できるデータ出力装置に関する。
　　　【０００２】
　　【従来の技術】
　最近のプリンタには、ホストコンピュータが一定量のデータを印字動作と無関係に連続して送信でき送信待ち時間を少なくするために、容量の大きな入力バッファが設けられている。
　　　【０００３】
　係る入力バッファを有したプリンタを使用する場合には、ホストコンピュータは印字対象の一つのファイルデータの全てを入力バッファに送信した後、印字動作の完了を待つことなく、別のジョブを実行することができる。このように、入力バッファの容量が大きいと、ホストコンピュータの動作効率が良いという利点がある。
　　　【０００４】
　　【発明が解決しようとする課題】
　ところが、１つのファイルデータを印字している時に、緊急で他のファイルデータを印字したい場合があるが、従来のプリンタは割込印字機能がないため、入力バッファの容量が大きいと入力バッファに記憶されているデータが全て印字されるまで長時間待つ必要があった。このため、特に緊急を要する場合には、印字動作中にプリンタの電源を落として、強制的に印字動作を中止して、他のファイルデータを印字するより方法がなかった。このため、プリンタの使用性が悪く、作業効率が低下するという問題があった。
　　　【０００５】
　本発明は、上記の問題点を解決するためになされたものであり、簡単な操作により、データ出力動作を一時中断させ他のデータの割込出力を可能とすると共に、
当該データの印字中
　　　【０００６】
　　【課題を解決するための手段】
　上記問題点を解決するために、本発明のデータ出力装置は、出力処理中のデータに別のデータを割込ませて出力させるデータ出力装置において、割込信号を発生させる割込信号発生手段と、その割込信号発生手段により発生された割込信号に基づいて、出力処理中のデータの出力を中断する出力中断手段と、その出力中断手段による中断後、前記別のデータを割込ませる割込データ出力手段と、前記割込信号発生手段により割込信号が発生された後、前記出力中断手段による出力の
中断前であって前記出力処理中のデータの印字が継続中
前記出力中断手段による出力の中断後、
印字が継続
　　　【０００７】
　また、本発明のデータ出力装置では、前記第１の表示手段と前記第２の表示手段とを共通の表示ランプしてもよい。
　　　【０００８】
　さらに、本発明のデータ出力装置では、前記出力されるデータは印字データであって、複数ページの印字出力中に前記割込信号発生手段により割込信号が発生された場合、前記出力中断手段は現在印字中のページの出力後にその出力を中断するようにしてもよい。
　　　【０００９】
　また、本発明のデータ出力装置では、前記割込信号発生手段により割込信号が発生された後、前記出力中断手段による出力の中断前
であって前記出力処理中のデータの印字が継続中
前記出力中断手段による出力の中断後
印字が継続
とを
　　　【００１０】
　さらに、本発明のデータ出力装置では、通常の印字データと割込時の印字データのいずれもが記憶される入力バッファと、当該入力バッファの空領域の量を判断する空領域判断手段とを備え、前記複数ページの印字データを印字出力中に前記割込信号発生手段により割込信号が発生された場合に、現在印字中のページの出力後に、当該空領域判断手段により前記入力バッファの空領域が所定量以上か否かを判断し、当該空領域が所定量以上のときには前記出力中断手段により現在印字出力中の前記複数ページの印字データの印字を中止して割込データの印字を行い、前記入力バッファの空領域が所定量より少ないときには、現在印字中の複数ページの印字データの次のページ末までの印字を行い、再度前記空領域判断手段により前記入力バッファの空領域が所定量以上か否かを判断するようにしてもよい。
　　　【００１１】
　本発明のデータ出力装置では、データの出力中に割込信号発生手段により割込信号が発生されると、第１の表示手段が出力中断手段による出力の中断前
であって出力処理中のデータの印字が継続中
印字が継続
　　　【００１２】
　　【発明の実施の形態】
　以下、本発明の実施の形態について図面を参照して説明する。
　　　【００１３】
　図１は実施例に係るプリンタの電気的構成を示したブロックダイヤグラムである。
　　　【００１４】
　プリンタＰの制御装置を構成する中央処理装置（以下「ＣＰＵ」と記す）１にはアドレスバス、データバス、制御バスを介してＲＯＭ２、ＲＡＭ３、入出力インタフェース４，５，６がそれぞれ接続されている。ＲＯＭ２には、各種の機能処理ルーチンを含む印字制御プログラム、フォントパターン等が記憶されている。又、ＲＡＭ３には、入力デー夕を一時記憶するＦＩＦＯ（Ｆｉｒｓｔ　ＩｎＦｉｒｓｔ　Ｏｕｔ）構成の入力バッファ３１と、１行分の文字パターンを作成するラインバッファ３２と、割込信号が検出されプリンタＰを割込印字モードに設定する割込フラグ３３と、印字動作が中断されるファイルデータの現在の書式データを記憶する書式データメモリ３４とが設けられている。
　　　【００１５】
　又、入出カインタフェース４，５，６には、それぞれ駆動装置７，８，９が接続されており、各駆動装置には、紙送りのためのＬＦモータ１０、印字ヘッドを搭載したキャリッジを移動させるＣＲモータ１１、インパクトワイヤを駆動する印字ソレノイド１２が、それぞれ接続されている。
　　　【００１６】
　又、入出力インタフェース６には割込信号発生手段を構成する割込スイッチ１３と割込印字モードであることを表示する割込表示ランプ１４とが接続されている。
　　　【００１７】
　又、プリンタＰの入力インタフェース１５はホストコンピュータ１７側の入出力インタフェース１６と接続されており、ホストコンピュータ１７側のＲＡＭ１８に記憶された印字データはホストコンピュータ１７によりプリンタＰに送信され、入力バッファ３１に記憶され、そのデータはプリンタＰのＣＰＵ１の処理により印字される。
　　　【００１８】
　次に、プリンタＰのＣＰＵ１の処理手順を図２のタイミングチャート、図３及び図４のフローチャート及び図５の入力バッファのメモリマップに従って説明する。
　　　【００１９】
　プリンタＰの電源の投入又はリセットにより、図４のメインプログラムが起動される。ステップ２０（以下「Ｓ２０」と記す。以下のステップも同様）で、各種の初期設定と共に入力バッファ３１がクリアされ割込フラグ３３がオフに初期設定され、次のＳ２１でアクティブハイのＢＵＳＹ信号がＬレベルとされる。即ち、図２のタイミングチャートにおいて、時刻ｔ１でＢＵＳＹ信号がＬレベルとなり、プリンタＰはＮＯＴ　ＢＵＳＹとなり、ホストコンピュータ１７からデータの受信が可能な状態となる。
　　　【００２０】
　次に、Ｓ２２へ移行して入力バッファ３１にデータが有るか否かが判定される。最初の実行サイクルでは入力バッファ３１にはデータが存在しないためＳ２２の判定結果はＮＯとなり、Ｓ２１へ戻る。最初の実行サイクルでは既にＢＵＳＹ信号はＬレベルとされており、ＢＵＳＹ信号の信号レベルは一度設定されると次に設定されるまでラッチされる。従って、プリンタＰの電源が投入されて、ホストコンピュータ１７からデータが受信されるまでの間は、Ｓ２１、Ｓ２２の処理が繰り返される。
　　　【００２１】
　一方、ホストコンピュータ１７においてプリンタ出力ルーチンが実行されると、そのプリンタ出力ルーチンではＢＵＳＹ信号のレベル判定が行われる。ＢＵＳＹ信号がＬレベルの時はプリンタＰは受信可能状態であることを意味しており、時刻ｔ２において、ＢＵＳＹ信号がＬレベルにあることが検出されて８ビットパラレルのＤＡＴＡ信号が出力され、時刻ｔ３においてその信号の読込タイミングを付与するアクティブローの反転ＤＡＴＡ　ＳＴＲＯＢＥ信号が出力される。
　　　【００２２】
　このアクティブローの反転ＤＡＴＡ　ＳＴＲＯＢＥ信号が入出カインタフェース１５に入力されると、その反転ＤＡＴＡ　ＳＴＲＯＢＥ信号が割込信号としてＣＰＵ１に入力され、図３に示す割込プログラムが実行される。
　　　【００２３】
　Ｓ１の実行される時刻ｔ３において、ホストコンピュータ１７から次のデータの送信を禁止するため、ＢＵＳＹ信号がＨレベルとされる。そして、次のＳ２で割込フラグ３３がオンか否かが判定されるが、最初の実行サイクルでは割込フラグ３３はオフであるので、Ｓ２の判定はＮＯとなりＳ３へ移行する。Ｓ３では入出力インタフェース１５に入力された１文字分のデータが読み込まれ、そのデータは入力バッファ３１に記憶され、次のＳ４で入力バッファ３１の先頭データアドレス、終端データアドレス、データ長等のＦＩＦＯパラメータが更新される。
　　　【００２４】
　次に、Ｓ５において、データ受信の確認をホストコンピュータ１７に通知するために、Ｓ５が実行される時刻ｔ４で反転ＡＣＫ信号がＬレベルとされ、Ｓ６が実行される時刻ｔ５で反転ＡＣＫ信号がＨレベルとされる。結局、負パルス、アクティブローの反転ＡＣＫ信号がホストコンピュータ１７に入出力インタフェース１５を介して出力される。
　　　【００２５】
　そして、Ｓ７で入力バッファ３１に空領域が存在するか否かが判定されるが、最初の実行サイクルでは入力バッファ３１には空領域が存在するため、Ｓ８へ移行して次のデータの受信許可をホストコンピュータ１７に通知するため、Ｓ８の実行される時刻ｔ５において入出力インタフェース１５を介してＢＵＳＹ信号がＬレベルとされ、本割込プログラムの処理が終了する。割込プログラムが終了すると、ＣＰＵ１は図５のメインプログラムのＳ２１、Ｓ２２のループに復帰する。一方、ホストコンピュータ１７は、ＢＵＳＹ信号がＬレベルになったことを検出して送信データが有れば、時刻ｔ６において次の８ビットパラレルのＤＡＴＡ信号が出力され、時刻ｔ７において反転ＤＡＴＡ　ＳＴＲＯＢＥ信号がプリンタＰに出力される。そして、ＣＰＵ１はその反転ＤＡＴＡ　ＳＴＲＯＢＥ信号により、再度、図３の割込プログラムを実行し、データの受信処理が行われる。このように、上記割込プログラムのＳ１〜Ｓ８の処理の繰り返しにより、入力バッファ３１には、図５（ａ）に示すように、印字するファイルＡのデータが全て記憶される。
　　　【００２６】
　次に、図４に戻り、入力バッファ３１にデータが入力されＳ２２の判定がＹＥＳとなると、Ｓ２３へ移行して割込フラグ３３がオフか否かが判定される。Ｓ２３の最初の実行サイクルでは割込フラグ３３はオフであるので、Ｓ２３の判定がＹＥＳとなりＳ２４へ移行して、入力バッファ３１から１行分のデータが読込まれ、ラインバッファ３２にその１行分の印字パターンが形成され、１行の印字処理が行われる。そして、次のＳ２５で印字された１行印字データが入力バッファ３１から削除され、次のＳ２６で入力バッファ３１のＦＩＦＯパラメータが更新され、次のＳ２７で割込スイッチ１３がオンか否かが判断される。割込スイッチ１３がオンに操作されない場合には、割込スイッチ１３はオフと判定されＳ２２へ戻り、上記した処理により次行の印字処理が順次実行される。印字処理の進行に伴い入力バッファ３１のメモリマップは図５（ｂ）に示すように、印字が完了したデータが入力バッファ３１から削除され、その領域は空領域に開放される。
　　　【００２７】
　このようにして、入力バッファ３１に入力されているファイルＡのデータが印字されている時に、割込スイッチ１３が操作されると、Ｓ２７の判定がＹＥＳとなり、次のＳ２８にて、割込スイッチ１３を受け付けたことを示すために、割込表示ランプ１４を点滅させる。そして、Ｓ２９にてファイルＡのデータが頁末まで印字されたか否かが判定される。尚、割込スイッチ１３のオンオフ状態は１回の操作毎に反転し、次に操作されるまでそのオンオフ状態はラッチされている。ファイルＡのデータを頁末まで印字完了していない場合には、Ｓ２２へ戻りＳ２９で頁末まで印字が完了するまで上記した印字処理が継続されると共に割込ランプ１４が点滅している。
　　　【００２８】
　Ｓ２９で頁末まで印字されたと判定され、次のＳ３０で入力バッファ３１の空領域が割込印字が可能なだけの所定容量以上か否かが判定され、所定量以上存在しない場合にはＳ２２へ戻り
、次のページ末まで印字を行い、再度Ｓ３０により入力バッファ３１の空領域が割込印字可能なだけの所定容量以上か否かが判定される。このように、
　　　【００２９】
　又、入力バッファ３１の空領域が所定容量以上となった場合には、Ｓ３０の判定がＹＥＳとなりＳ３１へ移行する。Ｓ３１では割込表示ランプ１４が点灯され、次のＳ３２でその時の状態の入力バッファ３１に記憶されているファイルＡの先頭データアドレス、データエンドアドレス、データ長が記憶され、Ｓ３３でファイルＡの現書式データが書式データメモリ３４に記憶される。この時、入力バッファ３１のメモリマップは図５（ｃ）に示す状態となり、Ｓ３４において入力バッファ３１の空領域が割込印字を行うファイルＢのデータを入力するためのサブバッファとして定義され、そのサブバッファの先頭データアドレス、エンドデータアドレス等のサブバッファのＦＩＦＯパラメータが初期設定される。そして、Ｓ３５で割込フラグ３３がオンに設定され、Ｓ２３に戻る。
　　　【００３０】
　この時、割込フラグ３３はＳ３５でオンに設定されたのでＳ２３の判定はＮＯとなり、３６へ移行する。Ｓ３６ではサブバッファにデータが存在するか否かが判定されるが、最初の実行サイクルではサブバッファにデータが存在しないので、Ｓ３６の判定がＮＯとなり、Ｓ３７へ移行して割込スイッチ１３がオフか否かが判定され、割込スイッチ１３がオフでない場合にはＳ２１へ戻り、ＢＵＳＹ信号がＬレベルとされる。そして、Ｓ３６でサブバッファにデータが入力されたと判定されるまで、Ｓ２１、Ｓ２２、Ｓ２３、Ｓ３６、Ｓ３７が繰り返し実行される。
　　　【００３１】
　この間、ＢＵＳＹ信号はＬレベルであるので、ホストコンピュータ１７からファイルＢのデータの送信が可能な状態となり、ホストコンピュータ１７からデータの送信が行われると、反転ＤＡＴＡ　ＳＴＲＯＢＥ信号に同期して図３の割込プログラムが起動される。図３において、Ｓ１でＢＵＳＹ信号がＨレベルとされ、Ｓ２で割込フラグ３３がオンか否かが判定されるが、この時、割込フラグ３３はオンであるので、Ｓ９へ移行して入出力インタフェース１５に受信されたデータはサブバッファに記憶され、次のＳ１０でそのサブバッファのＦＩＦＯパラメータが更新される。そして、Ｓ５以下に移行して上述した反転ＡＣＫ信号が出力され、次のデータを受信するためＢＵＳＹ信号がＬレベルとされる。
　　　【００３２】
　このようにして、サブバッファには図５（ｄ）に示すように、ファイルＢのデータが記憶される。サブバッファにデータが入力されると、図４のメインプログラムのＳ３６の判定がＹＥＳとなり、Ｓ３８へ移行してＳ２４と同様にしてサブバッファのデータの１行印字処理が実行される。そして、次のＳ３９で、図５（ｅ）に示すように、サブバッファから印字された１行印字データが削除され、Ｓ４０でサブバッファのＦＩＦＯパラメータが更新される。次に、Ｓ４１において、サブバッファはデータエンドか否かが判定され、データエンドでない場合にはＳ３６へ戻り上記したようにサブバッファに入力されたファイルＢの印字処理が継続される。
　　　【００３３】
　Ｓ４１でサブバッファがデータエンドと判定されると、Ｓ４０へ移行して割込スイッチ１３がオフか否かが判定される。割込スイッチ１３がオフでない場合には、更に、ファイルＢに続いて割込印字するファイルＣが存在するとみなして、上述したようにＳ３４、Ｓ３５の処理を実行した後、Ｓ２３へ戻る。その後、上述したように、Ｓ２３、Ｓ３６、Ｓ３７、Ｓ２１、Ｓ２２のステップが繰り返される。この間に、ホストコンピュータ１７からファイルＣのデータが入力されれば、そのファイルＣのデータが上述したファイルＢのデータと同様にして印字される。
　　　【００３４】
　一方、ファイルＢの印字中又はファイルＣのデータの受信待ち中（Ｓ２３、Ｓ３６、Ｓ３７、Ｓ２１、Ｓ２２を実行中）に、割込スイッチ１３がオフされると、印字終了後のＳ４２又はデータ受信待ち中のＳ３７の判定がＹＥＳとなり、Ｓ４３へ移行する、Ｓ４３ではＳ３２で退避されたファイルＡに関する入力バッファ３１のＦＩＦＯパラメータが復元され、次のＳ４４ではＳ３３で書式データメモリ３４に退避されたファイルＡの印紙中断時の書式データが復元される。そして、Ｓ４５で割込表示ランプ１４が消灯され、Ｓ４６で割込フラグがオフとされＳ２３に戻る。この時、入力バッファ３１のメモリマップは図５（ｆ）に示すようになり、割込フラグ３３はＳ４６でオフとされたのでＳ２３の判定がＹＥＳとなり、上述したＳ２４以下が実行される。即ち、入力バッファ３１に残されているファイルＡのデータの印字が再開されることになり、入力バッファ３１は図５（ｇ）に示すようにファイルＡのデータが印字の進行に伴い順次入力バッファ３１から消去される。
　　　【００３５】
　又、ファイルＡの印字を再開した後に、又割込スイッチ１３がオンに操作されれば、再度、他のファイルを割込印字することが可能となる。
　　　【００３６】
　上記実施例ではファイルＡの全てのデータを一度に入力バッファ３１に入力しているため、印字動作中はホストコンピュータ１７は既にファイルＡの印字プログラムを終了している。従って、割込スイッチ１３を操作した後にホストコンピュータ１７で他のファイルＢの印字プログラムを実行させれば良いため、割込スイッチ１３のオンオフ状態をホストコンピュータに通知する必要がない。
　　　【００３７】
　しかし、割込スイッチ１３のオンオフ状態をホストコンピュータ１７に通知するようにすれば、ホストコンピュータ１７は割込スイッチ１３のオン状態を検出してファイルＡの印字プログラムの実行を一時中断して、ファイルＢの印字プログラムを実行させることができるので、ファイルＡの全データを一度に入力バッファ３１に送信しておく必要はない。
　　　【００３８】
　割込印字モードに設定するための割込信号発生手段はホストコンピュータ１７から割込コマンドを送信する手段で構成してもよい。この場合には、図３の割込プログラムで１文字データが入力された時に入力データを判別し、割込コマンドが受信された場合に、割込印字モードに設定するようにしてもよい。
　　　【００３９】
　又、図６に示すように割込スイッチ１３がオンとなり割込印字されるデータを入力する場合に、入力バッファ３１に記憶されている最初のファイルデータを入力バッファ３１の先頭アドレスから再配置させ、空領域からなるサブバッファをその後に形成するようにしてもよい。
　　　【００４０】
　以上詳述したように、本形態では割込表示ランプ１４を利用してファイルＡのデータが頁末まで印字完了していない場合はその割込表示ランプ１４を点滅させ、ファイルＢの印字と共に割込表示ランプ１４を点灯させているため、割込スイッチ１３が操作された後、割込印字が開始されたか否かの状態を正確に識別でき、しかも単一の割込表示ランプ１４により安価に構成することができる。
　　　【００４１】
　　【発明の効果】本発明はデータの出力中に割込信号が発生されると、第１の表示手段が出力中断手段による出力の中断前であることを表示し、出力処理中のデータの出力が出力中断手段により中断され、その出力中断手段による中断後、割込データ出力手段により別のデータが割込まれると共に、割込データの出力中であることが第２の表示手段により表示される。従って、１つのファイルデータを出力しているときに、そのファイルデータの出力を一時中断して他のファイルデータを割込出力させることができるだけでなく、出力中断手段による出力中断前で
あって前記出力処理中のデータに印字が継続中であること及び割込データの印字が継続中
【図面の簡単な説明】
　　【図１】本発明を具体化した印字装置の電気的構成を示したブロックダイヤグラム図である。
　　【図２】プリンタヘのデータの入力を示したタイミングチャートである。
　　【図３】印字装置で使用されたＣＰＵの処理手順を示したフローチャートである。
　　【図４】印字装置で使用されたＣＰＵの処理手順を示したフローチャートである。
　　【図５】入力バッファのメモリ構成を示した説明図である。
　　【図６】他の変形例に係る入力バッファのメモリ構成を示した説明図である。
　　【符号の説明】
Ｐ　プリンタ
１　ＣＰＵ
３　ＲＡＭ
１３　割込スイッチ
１４　割込表示ランプ
１５、１６　入出力インタフェース
１７　ホストコンピュータ
３１　入力バッファ
３２　ラインバッファ
３３　割込フラグ
３４　書式データメモリ